(57)【特許請求の範囲】
【請求項１】
ホスト装置から受信した印刷データに基づく印刷イメージデータを指定された位置に格納する格納手段と、前記ホスト装置から受信した制御データに対応して、前記格納手段に格納されている印刷イメージデータに基づいて記録媒体に対して印刷処理を行う印刷手段とを備えた印刷装置において、
前記ホスト装置から受信した制御データに対応して、前記印刷手段により印刷処理の行われた印刷イメージデータに対し、前記格納手段から印刷イメージデータを消去して前記格納手段を印刷イメージデータの格納されていない状態にする消去処理を行うか否かを選択的に実行する第１の消去手段と、
前記格納手段の一部または全部の領域を指定する領域指定手段と、
前記領域指定手段によって指定された前記格納手段の前記領域に対し消去処理を行う第２の消去手段とを有し、
前記制御データが第１の制御データの場合、前記印刷手段が前記印刷処理を行った後に、前記第１の消去手段は消去処理を実行し、
前記制御データが第２の制御データの場合、前記印刷手段が前記印刷処理を行った後に、前記第１の消去手段は消去処理を実行せず、
前記制御データが第３の制御データの場合、前記領域指定手段は前記格納手段の一部または全部の領域を指定し、
前記制御データが第４の制御データの場合、前記第２の消去手段は前記領域指定手段によって指定された前記格納手段の前記領域に対し消去処理を行う、
ことを特徴とする印刷装置。
【請求項２】
ホスト装置から受信した印刷データに基づく印刷イメージデータを格納手段の指定された位置に格納する工程と、前記ホスト装置から受信した制御データに対応して、前記格納手段に格納されている印刷イメージデータに基づいて記録媒体に対して印刷処理を行う印刷工程とを有する印刷装置の制御方法であって、
前記ホスト装置から受信した制御データに対応して、前記印刷工程において印刷処理の行われた印刷イメージデータに対し、前記格納手段から印刷イメージデータを消去して前記格納手段を印刷イメージデータの格納されていない状態にする消去処理を行うか否かを選択的に実行する第１の消去工程と、
前記格納手段の一部または全部の領域を指定する工程と、
前記領域指定工程によって指定された前記格納手段の前記領域に対し消去処理を行う第２の消去工程とを有し、
前記制御データが第１の制御データの場合、前記印刷工程が前記印刷処理を行った後に、前記第１の消去工程は消去処理を実行し、
前記制御データが第２の制御データの場合、前記印刷工程が前記印刷処理を行った後に、前記第１の消去工程は消去処理を実行せず、
前記制御データが第３の制御データの場合、前記格納手段の一部または全部の領域を指定し、
前記制御データが第４の制御データの場合、前記領域指定工程によって指定された前記格納手段の前記領域に対し消去処理を行う、
ことを特徴とする制御方法。
【発明の詳細な説明】
【０００１】
【発明の属する技術分野】
本発明は、ホスト装置から受信した印刷データに基づいて生成した印刷イメージデータを格納する格納手段を備えた印字装置に関し、特に、当該格納手段に格納された印刷イメージデータを用いて複数回の印刷処理を行う印刷装置に関する。従って、本発明は、伝票類に印刷を行うＰＯＳまたはＥＣＲ用の印刷装置に特に好適なものである。
【０００２】
【従来の技術】
いわゆるターミナルプリンタは、ホスト装置、例えばホストコンピュータからキャラクタコードや、図形データとして送信された印刷データを、所定量、例えば１ページまたは１行単位で印刷イメージデータに展開し、その格納手段であるイメージバッファに格納している。キャラクタコードから印刷イメージデータへの展開は、通常は、キャラクタジェネレータを参照することによって行われており、また、図形データの展開は、所定の描画アルゴリズムを用いて行われている。また、イメージバッファへの展開位置は、印刷データに先だって受信した位置データに応じて決定する。これらの処理は、データ量が多いほど、多くの時間を要するのである。そして、印刷イメージデータへの展開が終了したら、通常はホストコンピュータからの制御データ、例えば印刷実行コマンドに応じて、このデータを上記の所定量単位に印刷するのである。
【０００３】
従来のプリンタにおいては、印刷処理の終了した印刷イメージデータは、イメージバッファから消去される。ここで、印刷処理とは、いわゆる印刷命令の実行をいい、例えば同一の印刷を複数枚の記録媒体に行う印刷命令があった場合には、そのすべての記録媒体への印刷をいう。また、消去とは、イメージバッファに印刷イメージデータがなくなる状態をいい、新たな印刷イメージデータをいわゆる上書きすることではない。印刷終了後イメージバッファを消去する理由は、次にホストコンピュータから受信した印刷データを上書きしても、元の印刷イメージデータがすべて書き換えられるとは限らないからである。すなわち、新たな印刷データが、イメージバッファの一部にしか対応しない場合には、残りの部分には先の印刷イメージデータが依然として存在しており、印刷イメージデータが先のものと重畳されてしまうのである。
【０００４】
【発明が解決しようとする課題】
このような従来のプリンタにおいては、同一または一部分のみが異なる印刷を複数の記録媒体に繰り返して行いたい場合や、同一または一部分のみが異なる印刷行を同一の記録紙に繰り返して行いたい場合に問題があった。すなわち、従来のプリンタは、印刷処理が終了するとイメージバッファから印刷イメージデータを消去してしまうので、このような場合にはすべての印刷データをホストコンピュータから再度送信しなければならず、また、その印刷データに基づいて再度印刷イメージデータを展開しなければならない。このため、このような場合の処理時間が大きく、従っていわゆるスループットが低かった。
【０００５】
近年ＰＯＳ／ＥＣＲ市場においては特にプリンタに対するスループット向上が求められている。従って、プリンタには、ホストコンピュータが印字データを送信してから印字開始までの時間をできるだけ短く、つまりは、印字イメージデータの形に展開する時間を短くすること、そして、ホストコンピュータに同じ印字データを重複して送らせないことが求められているのである。
【０００６】
本発明の目的は、上記の課題を解決し、同一または一部分のみが異なる印刷を繰り返し行う場合でも、高スループット印字を実現可能なプリンタを提供するとともに、ホストコンピュータの負担を軽減し、使用者に使いやすいプリンタを提供することにある。
【０００７】
【課題を解決するための手段】
上記の課題を解決するため、本発明の印刷装置は、ホスト装置から受信した印刷データに基づく印刷イメージデータを指定された位置に格納する格納手段と、ホスト装置から受信した制御データに対応して、格納手段に格納されている印刷イメージデータに基づいて記録媒体に対して印刷処理を行う印刷手段とを備えた印刷装置において、制御データに対応して、印刷処理の行われた印刷イメージデータを格納手段から消去するか否かを選択的に実行する第１の消去手段と、格納手段の一部または全部の領域を指定する領域指定手段と、領域指定手段によって指定された格納手段の前記領域に対し消去処理を行う第２の消去手段とを有し、制御データが第１の制御データの場合、印刷手段が印刷処理を行った後に、第１の消去手段は消去処理を実行し、制御データが第２の制御データの場合、印刷手段が印刷処理を行った後に、第１の消去手段は消去処理を実行せず、制御データが第３の制御データの場合、領域指定手段は格納手段の一部または全部の領域を指定し、制御データが第４の制御データの場合、第２の消去手段は領域指定手段によって指定された格納手段の領域に対し消去処理を行う、ことを特徴とする。
【０００８】
これにより、第１の消去手段は、ホスト装置から受信した制御データに対応して、選択的に印刷処理の終了した印刷イメージデータをその格納手段から消去するので、その印刷イメージデータを再度使用する場合には、ホスト装置は、制御データを用いて、その消去を行わないようにすることができる。また、先の印刷イメージデータを使用しない場合には、ホスト装置は、制御データを用いて、その消去を行わせることができる。
【００１０】
また、印刷処理を命じる制御データで、印刷処理後の印刷イメージデータの消去処理の実行、不実行を指定することができるので、当該指定処理が極めて容易になる。
【００１１】
更に、第３の制御データおよび第４の制御データにより、印刷処理が終了した印刷イメージデータの一部の領域を指定して消去することができるので、容易に当該部分を書き換えて新たな印刷イメージデータを構成することができる。
【００１２】
【発明の実施の形態】
以下、本発明の実施例を、図面に従って説明する。
【００１３】
図１は、本発明の第１の実施例にかかるプリンタの機能をあらわすブロック図である。ホスト装置１は様々な情報処理を行う汎用の情報処理装置であって、情報処理の結果に対応した所望の印刷処理を行わせるべく、印刷データ及び制御データを含むデータ２をインタフェース信号線を介してプリンタ３のデータ受信手段４に送信する。プリンタ３はデータ受信手段４、印刷イメージデータ生成手段５、第１消去手段６、格納手段７及び印刷手段８から構成されている。なお、制御データとはプリンタを制御するためのデータであり、制御コマンド及びそのパラメータを含むものである。以下、単にコマンドと呼ぶ。
【００１４】
データ受信手段４はホスト装置１から送信されたデータ２を受信し、コマンド１１と印刷データ１２との弁別、更にはコマンド１１の解釈を行う。そして、印刷データ１２は印刷イメージデータ生成手段５へ、コマンド１１はそれぞれのコマンド１１に対応する処理手段（５、６、８）へと送信される。
【００１５】
印刷イメージデータ生成手段５はデータ受信手段４から受信した印刷データ１２に基づいて印刷イメージデータ１３を生成し、格納手段７に送る。具体的には、印刷データとして与えられるキャラクタコードを不図示のキャラクタジェネレータに与え、その出力である文字パタンを、やはり印刷データ１２として与えられる印刷位置データに応じて生成した所定の位置情報とともに、格納手段７に送信するのである。
【００１６】
格納手段７は印刷イメージデータ生成手段５から送られた印刷イメージデータ１３を上記の位置情報に基づいて所定の位置に格納する。また、後述する印刷制御部８からの読み出し要求１５に対応して印刷イメージデータ１３を送出する。更に、第１消去手段６からの消去要求１６に対応して格納している印刷イメージデータ１３を消去する。上述したとおり、ここでいう消去はいわゆる上書きを含まず、消去と同時に印刷イメージデータが格納されることはない。
【００１７】
印刷制御部８は印刷処理コマンド１１ａに対応して、格納手段７に印刷イメージデータの読み出し要求１５を行い、格納手段７の所定の位置から読み出した印刷イメージデータ１３を記録媒体上の、その所定位置に対応した位置に印刷する。なお、記録媒体上の所定位置に印刷を行うためには、印刷ヘッドと記録媒体とを相対的に移動させる機構が用意されているが、周知の構成であるため、説明を省略する。
【００１８】
第１消去手段６は印刷制御部８からの格納手段への読み出し要求１５を参照して格納手段内の印刷イメージデータ１３が印刷処理のために読み出されたことを検出する。そして、読み出しが検出された場合には、データ受信手段４からの消去モード選択コマンド１１ｃに応じて、格納手段７に消去要求１６を出力する。すなわち、消去モード選択コマンド１１ｃによって消去が禁止されていれば、消去要求１６は出力されないが、このコマンドによって消去が許可されていれば、消去要求１６が出力されるのである。なお、消去要求１６は、格納手段７のすべての印刷イメージデータ１３が読み出された後に出力されてもよいし、一部の印刷イメージデータが読み出されたときにそのデータの位置を指定して出力されてもよい。
【００１９】
次に、本実施例のプリンタの回路構成を説明する。図２は本実施例のプリンタの回路の構成を示すブロック図である。プリンタ３の制御回路はホスト装置１と通信するためのインタフェース２０、入出力ポート２４を介して印刷機構２５の電気、電子素子を制御し、及び状態を検出する中央処理装置（以下、ＣＰＵと称する）２１、ＣＰＵの動作シーケンスを定めるプログラムを格納したＲＯＭ２２及び格納手段７の一部を構成するＲＡＭ２３とから構成されている。
【００２０】
本例においては上述の図１の機能ブロックはほとんどがＣＰＵ２１を用いて実現されている。すなわち、データ受信手段４はインタフェース２０及びＣＰＵ２１から、印刷イメージデータ生成手段はキャラクタジェネレータを格納したＲＯＭ２２及びＣＰＵ２１から、格納手段７はいわゆるイメージバッファが含まれているＲＡＭ２３及びＣＰＵ２１から、第１消去手段はＣＰＵ２１から、そして印刷制御部はＣＰＵ２１、入出力ポート２４及び印刷機構２５から、それぞれ構成されている。
【００２１】
以下、図３及び図４を用いてＣＰＵ２１の各機能ブロックにおける動作を説明する。図３はＣＰＵ２１による処理の概略を示すフローチャートである。Ｓ１においてプリンタに電源が投入され、プリンタ全体の初期化が行われる。すなわち、ＣＰＵ２１の初期化に続いて制御回路の故障確認、例えば印刷ヘッドのホームポジションへの移動などの印刷機構２５の初期化、印刷イメージデータを格納すべきＲＡＭ２３の初期化及びホスト装置へのレディー状態の通知等が行われる。なお、この処理は不図示のリセットスイッチの操作によるリセットの際にも実行される。
【００２２】
次にＳ２において受信バッファにデータ２があるか否かがチェックされる。受信バッファはインタフェース２０に内蔵されており、ホスト装置１との間の所定の通信手順に従って受信したデータが格納されている。なお、本例では、ホスト装置との間のインタフェースはＲＳ−２３２Ｃを用いている。受信バッファにデータ２がない場合にはＳ２へループし、ある場合にはＳ３においてこれを取得する。そして、取得したデータ２をＳ４において解析し、印刷データ１２とコマンド１１とに弁別する。また、後述するように、Ｓ６においてコマンド１１を更に解析するが（Ｓ４１、Ｓ４２）、ここまでの処理は図１の機能ブロックにおけるデータ受信手段４を構成する。
【００２３】
Ｓ４のデータ解析において、印刷データ１２と判断された場合にはＳ５において印刷イメージデータ１３の生成及び格納を行う。当該処理は機能ブロックにおける印刷イメージデータ生成手段５及び格納手段７の一部を構成する。
【００２４】
次に図８を用いて当該処理の例を説明する。図８は本発明の実施例において印刷イメージデータの格納状態を示す図である。図中７ａはイメージバッファであり、ＲＡＭ２３内に設けられている。このイメージバッファ７ａ上に印刷データである文字のビットパターンを展開していく様子を説明する。
【００２５】
図８はホスト装置１から、「Ａ、Ｂ、Ｃ、Ｄ、Ｅ、ＬＦ、Ｆ、Ｇ、Ｈ、Ｉ、Ｊ、ＬＦ、Ｋ、Ｌ、Ｍ、Ｎ、Ｏ、ＬＦ、Ｐ、Ｑ、Ｒ、Ｓ、Ｔ、ＬＦ、Ｕ、Ｖ、Ｗ、Ｘ、Ｙ、ＬＦ、Ｚ、０、０、０、３」と送られてくる印字データ及び書式制御コードをイメージバッファ７ａ上に展開した結果を示している。ここで「ＬＦ」は、改行を表す書式制御コードで、１６進表記で０ＡＨで示される。この実施例では、ホストコンピュータから合計３５バイト（印字データ３０バイト、書式制御コード５バイト）のデータが送られて来たことになる。
【００２６】
図４はＳ６におけるコマンド１１の処理をあらわすフローチャートである。Ｓ４１においてコマンド１１が印刷コマンド１１ａか否かが判断される。印刷コマンド１１ａでなかった場合には、Ｓ４２において更に消去モード選択コマンド１１ｃか否かが判断される。消去モード選択コマンド１１ｃでなかった場合には、Ｓ４５においてさらなるコマンド解析及びその処理、例えば記録媒体のプリンタへのローディングが行われる。
【００２７】
一方、Ｓ４２において、消去モード選択コマンドであると判断された場合には、その選択に応じて消去モードが設定される。本例においては消去を行わないモードの場合には消去禁止フラグをセットし、消去を行うモードが選択された場合には、このフラグがリセットされる。なお、この消去禁止フラグは後述する印刷処理Ｓ４６の終了後にＳ４７において参照される。
【００２８】
さて、Ｓ４１において印刷コマンドであると判断された場合には、Ｓ４６において印刷処理が行われる。当該印刷処理は機能ブロックにおける印刷制御部８の一部をなしている。印刷処理においては概略上述の処理が行われるが、周知の処理であるため、詳細な説明を省略する。
【００２９】
印刷処理Ｓ４６が終了すると、Ｓ４７において前述の消去禁止フラグの状態が調べられる。そして、消去禁止フラグがリセット状態、すなわち消去を行うモードが選択されていたら、Ｓ４８において、ＲＡＭ２３に設けられているイメージバッファをクリアする。Ｓ４２からＳ４４、及びＳ４７は機能ブロックにおける第１消去手段６を構成している。また、Ｓ４８は格納手段７の機能に含まれている。
【００３０】
このように、消去モードを選択できるように構成したので、消去禁止モードを選択した後に印刷コマンドを送信することにより、一度送信し、印刷イメージデータに展開したデータを消去せずに、複数回の印刷処理において使用することができる。また、新たな印刷データに更新する場合には、これに先だって実行される印刷処理において、消去許可モードを選択した後に印刷コマンドを送信することにより、あらかじめ、イメージバッファをクリアしておくことができる。従って、印刷が必要な部分の印刷データを送信するだけで、ノイズのない印刷が可能となる。
【００３１】
次に、図５及び図６を用いて本発明の第２の実施例を説明する。図５は本発明の第２の実施例の機能ブロック図である。本例においてはデータ受信手段４において２種類の印刷コマンド１１ａ及び１１ｄが弁別され、印刷制御部８及び第１消去手段６に入力されており、第１の実施例において用いられていた消去モード選択コマンド１１ｃは廃止されている。
【００３２】
印刷制御部８は上記の２種類の印刷コマンドのいずれに対しても同様の印刷処理を行う。すなわち、格納手段７に印刷イメージデータの読み出し要求１５を行い、格納手段７の所定の位置から読み出した印刷イメージデータ１３を記録媒体上の、その所定位置に対応した位置に印刷する。
【００３３】
本例が第１の実施例と異なる点は、第１消去手段の動作にある。すなわち、第１消去手段は印刷コマンド１１ａ（後述するコマンドコード「ＦＦ」に対応する）に対しては消去許可モードの設定を行い、印刷コマンド１１ｄ（後述するコマンドコード「ＥＳＣ  ＦＦ」に対応する）に対しては消去禁止モードの設定を行うのである。以下、図６に従って詳細に説明する。
【００３４】
図６は、図３に示す本発明の実施例におけるＣＰＵの概略動作をあらわすフローチャート中、Ｓ６に相当するコマンド処理をあらわすフローチャートである。Ｓ６１において印刷コマンドか否かがチェックされる。印刷コマンドでなければ、Ｓ６２においてそれぞれのコマンドに対応する処理が行われる。例えば、後述するイメージバッファ領域指定コマンド（ＥＳＣ  Ｗ）やイメージバッファクリアコマンド（ＣＡＮ）はここで実行される。
【００３５】
Ｓ６１で印刷コマンドであると判断されるとＳ６３において２種類の印刷コマンドの内のどちらのコマンドかが調べられる。印刷コマンド１１ｄであった場合、すなわちコマンドコードが「ＥＳＣ  ＦＦ（１６進表記では、１ＢＨ  ０ＣＨ）」であった場合にはＳ６４において印刷処理が行われるが、その終了後にイメージバッファのクリアは行われない。すなわち、消去禁止モードとなるのである。一方、Ｓ６３において印刷コマンド１１ａ、すなわちコマンドコード「ＦＦ（１６進表記では、０ＣＨ）」の場合にはＳ６５の印刷処理の終了後にＳ６６においてイメージバッファのクリアが行われる。
【００３６】
このように、コマンドコード「ＦＦ」による印刷では、例えば１ページ分の印刷データを印刷した後、イメージバッファ７ａをクリアするので、１ページ毎に違った印字をしたいときに、この印刷コマンドを使うと上述のように、少ない印刷データの送信及び展開処理で、ノイズのない印刷結果を得ることができる。
【００３７】
一方、制御コード「ＥＳＣ  ＦＦ」による印刷では、制御コード「ＦＦ」による場合と同様に、１ページ分のデータを印刷するが、印刷処理の後、イメージバッファ７ａをクリアしない。つまり、このコマンドは、同一の印刷を複数枚必要なときに使用するコマンドで、必要な枚数分だけホスト装置１から制御コード「ＥＳＣ  ＦＦ」を送ってもらえば、印刷イメージデータは、すでにイメージバッファ上に展開されているので、ホスト装置１から印刷データを送ってもらう必要も、プリンタ３側で印刷イメージデータを作成する必要もない。
【００３８】
次に、図７及び図８を参照して本発明の第３の実施例を説明する。図７は本発明の第３の実施例の機能ブロック図である。第１の実施例の機能ブロック図に領域指定手段９及び第２消去手段１０が追加されている。
【００３９】
領域指定手段９はデータ受信手段４が弁別したコマンド１１ｅに従って格納手段７のイメージバッファ７ａ中の領域を指定し、指定領域１８を第２消去手段１０に出力する。第２消去手段１０はデータ受信手段４が弁別したコマンド１１ｆに対応して、指定領域１８に対応するイメージバッファ７ａ内の領域の消去要求を格納手段７に出力する。なお、消去要求１７は消去要求１６と異なり、印刷処理の前後を問わず出力される。これにより、印刷処理に先立ってイメージバッファの一部を消去し、書き換えることが可能となる。以下、図８を用いてその書き換え動作について詳細に説明する。
【００４０】
例えば、最終行の「３」という印字データを「４」、「５」とカウントアップして印刷する場合を考える。従来であれば、１ページ印字する度にメモリを初期化して、ホストコンピュータから、「Ａ、Ｂ、Ｃ、Ｄ、Ｅ、ＬＦ、Ｆ、Ｇ、Ｈ、Ｉ、Ｊ、ＬＦ、Ｋ、Ｌ、Ｍ、Ｎ、Ｏ、ＬＦ、Ｐ、Ｑ、Ｒ、Ｓ、Ｔ、ＬＦ、Ｕ、Ｖ、Ｗ、Ｘ、Ｙ、ＬＦ、Ｚ、０、０、０、４、ＦＦ」と、印刷データ及び書式制御コードを再度送ってもらわねばならない。これは、ホスト装置がデータを送信するのにも時間が掛かるし、また、印刷データの展開にも時間が掛かり、非効率的である。
【００４１】
本例のプリンタにおいては、
ＡＢＣＤＥ
ＦＧＨＩＪ
ＫＬＭＮＯ
ＰＱＲＳＴ
ＵＶＷＸＹ
Ｚ０００３
を印字した後、ホストコンピュータから図中１４の斜線部分を選択する制御コマンド「ＥＳＣ  Ｗ  ｘ、ｙ、△ｘ、△ｙ」を送ってもらい、続いて、制御コマンド「ＣＡＮ」によって、選択されている斜線部分の領域をクリアする。
【００４２】
ここで、「ＥＳＣ  Ｗ」は、領域を設定する制御コマンドで、１６進表記で「ＥＳＣ」は１ＢＨ、「Ｗ」は５７Ｈである。「ｘ、ｙ、△ｘ、△ｙ」は、コマンド「ＥＳＣ  Ｗ」のパラメータで「ｘ、ｙ」は、それぞれ設定する領域の水平方向、垂直方向の座標、「△ｘ、△ｙ」は、それぞれ設定する領域の水平方向、垂直方向の大きさを表す。このコマンドの処理は、機能ブロックにおける領域指定手段に相当する。
【００４３】
また、「ＣＡＮ」は設定されている領域内をクリアするコマンドで、１６進表記で１８Ｈである。このコマンドの処理は機能ブロックの第２消去手段に相当するものである。
【００４４】
そして領域内をクリアした後、ホストコンピュータから印字データである「４」及びその印刷すべき位置の情報を送ってもらえば、１文字、イメージバッファ７ａ上に展開するだけでカウントアップ印刷が可能となる。これらの操作を繰り返せば、最終行の「３」という印字データを「４」、「５」とカウントアップして印刷する場合でも、必要最小限のデータ送信と印刷データの展開を行えばよいので、高スループットのプリンタを提供することができる。
【００４５】
【発明の効果】
以上述べた様に本発明のプリンタによれば、ホストコンピュータから送信されてくる１ページ分に相当する印刷データを印刷イメージデータに展開し印刷した後、同一の印刷イメージデータあるいは部分的に修正・追加したイメージデータを用いて再度印刷処理を行うことが可能となり、高スループットのプリンタを提供するとともに、ホストコンピュータの負担を軽減し、使用者に使いやすいプリンタを提供することができる。
【図面の簡単な説明】
【図１】本発明の第１の実施例にかかるプリンタの機能をあらわすブロック図である。
【図２】本発明の実施例のプリンタの回路構成を示すブロック図である。
【図３】本発明の実施例にかかるＣＰＵ２１による処理の概略を示すフローチャートである。
【図４】図３のフローチャート中、Ｓ６におけるコマンド１１の処理をあらわすフローチャートである。
【図５】本発明の第２の実施例の機能ブロック図である。
【図６】図３に示す本発明の実施例におけるＣＰＵの概略動作をあらわすフローチャート中、Ｓ６に相当するコマンド処理をあらわすフローチャートである。
【図７】本発明の第３の実施例の機能ブロック図である。
【図８】本発明の実施例において印刷イメージデータの格納状態を示す図である。
【符号の説明】
１   ホスト装置
２   データ
３   印刷装置
４   データ受信手段
５  印刷イメージデータ生成手段
６  第１消去手段
７  格納手段
８  印刷制御部
【図１】
0003760525.tif 000002
【図２】
0003760525.tif 000003
【図３】
0003760525.tif 000004
【図４】
0003760525.tif 000005
【図５】
0003760525.tif 000006
【図６】
0003760525.tif 000007
【図７】
0003760525.tif 000008
【図８】
0003760525.tif 000009